(57)【特許請求の範囲】
【請求項１】
内部に内蔵部品を取付けられ、合成樹脂で形成された外壁を有する自動車用燃料タンクにおいて、
上記内蔵部品には、上記燃料タンクの外壁の内面に上記内蔵部品を取付ける取付部材が複数設けられ、該取付部材は、上記燃料タンクの外壁の内面に当接する当接部が形成され、該当接部は、上記燃料タンクの外壁の内面に対向する当接面と、該当接面に上記燃料タンクの外壁の内面に向けて複数の当接ピンが形成され、該当接ピンは断面形状が円形又は楕円形の円柱状又は円錐台状に形成されるとともに、上記当接ピンは、上記当接ピンの根元の上記当接面に上記当接ピンの周囲を囲むように溝部が形成されるか、又は、上記当接ピンの側面に周囲を囲むように切欠き部が形成されたことを特徴とする自動車用燃料タンク。
【請求項２】
上記当接ピンは、上記当接面よりも突出して形成された請求項１に記載の自動車用燃料タンク。
【請求項３】
上記燃料タンクの外壁は、外壁の外側から、外部本体層、外部接着剤層、バリヤ層、内部接着剤層と内部本体層の５層で形成され、上記外部本体層と内部本体層は、高密度ポリエチレン（ＨＤＰＥ）で形成され、上記バリヤ層はエチレンビニルアルコール共重合体（ＥＶＯＨ）で形成され、上記外部接着剤層と内部接着剤層は、高密度ポリエチレン（ＨＤＰＥ）とバリヤ層の両方に接着性を有する合成樹脂で形成された請求項１又は請求項２に記載の自動車用燃料タンク。
【発明の詳細な説明】
【技術分野】
【０００１】
本発明は、熱可塑性合成樹脂製の燃料タンクに関するものであり、特に、熱可塑性合成樹脂部材をブロー成形することにより外壁が形成され、内部に内蔵部品を有する燃料タンクに関するものである。
【背景技術】
【０００２】
従来、自動車用等の燃料タンクの構造としては、金属製のものが用いられていたが、近年、車両の軽量化や、錆が発生しないこと、所望の形状に成形しやすいことなどによって熱可塑性合成樹脂製のものが用いられるようになってきた。
熱可塑性合成樹脂製の自動車用燃料タンクの製造は、中空体を成形することの容易性からブロー成形方法が多く用いられてきた。ブロー成形方法では、溶融した熱可塑性合成樹脂部材のパリソンを円筒状にして上から押出して、そのパリソンを金型で挟みパリソン中に空気を吹き込み、自動車用燃料タンクを製造していた。
【０００３】
一方、ブロー成形方法においても、燃料タンクの内部にバルブ類や燃料の流動音を抑制するためのバッフルプレート等の内蔵部品を設けることが求められている。
そこで、内蔵部品を樹脂枠にセットして、その樹脂枠を金型内にセットして、ブロー成形して樹脂枠を燃料タンクの外壁の内周面に固着して内蔵部品を燃料タンク内部に取付けるものがある（例えば、特許文献１参照。）。
【０００４】
しかしこの場合には、内蔵部品を樹脂枠にセットして燃料タンクの外壁の内周面に固着するため、成形後に樹脂枠を切除する手間が必要であり、小さい内蔵部品では、樹脂枠が大きくなり、重量が増加する場合がある。
【０００５】
また、燃料タンクの内部に内蔵部品を設けるには、図２５〜図２６に示すように行っている場合もある（例えば、特許文献２参照。）。
それは、まず、図２５に示すように、パリソン１０８がブロー成形金型１４０内に入る前に内蔵部品１２０を支持棒１４１に載せて、ブロー成形金型１４０を開いて、その内部に位置させる。その後、ブロー成形金型１４０を開いたままで、パリソン１０８を下降させて、パリソン１０８の内部に内蔵部品１２０が位置するようにする。
【０００６】
その後、図２６に示すように、ブロー成形金型１４０を閉じる前に、ブロー成形金型１４０の両側から押圧ピン１４２を出し、パリソン１０８を押圧して、パリソン１０８を内蔵部品１２０の側端に押付ける。このとき、パリソン１０８の内面はまだ固化していないので、パリソン１０８と内蔵部品１２０の側端は、融着することができる。
そして、支持棒１４１を下降させて、ブロー成形金型１４０を閉じて、空気を吹き込み、ブロー成形を行う。
【０００７】
この場合は、内蔵部品１２０の先端に形成したパリソン１０８と当接する当接面１３３とパリソン１０８の内面とは単に接触するのみで、パリソン１０８の内部に当接面１３３が侵入せず、接着性が弱く、充分に融着強度が大きくなく、燃料の振動や、燃料タンクの膨張等により、剥離する恐れがあった。
【０００８】
また、燃料タンクの強度を向上させるために、その上下の外壁同士を凹ませて、数箇所に亘り融着するものもある。しかし、この場合には、部分的に外壁同士を凹ませて融着するため、燃料タンクの内部容積が減少してしまうことになる。
【０００９】
そのため、図２７に示すように、内蔵部品の取付部材１３０の当接面１３３に断面形状が三角形の複数の円弧状の突条１３５を形成したものがある（例えば、特許文献３参照。）。なお、突条１３５の間に形成されているのはエア抜き溝１３６である。
しかしながら、この突条１３５は円弧状に長く形成されているため、燃料タンクの外壁に衝撃や曲げ応力が加わる場合には、突条１３５が変形するのではなく、燃料タンクの外壁が変形する恐れがあった。
【００１０】
そのため、図２８と図２９に示すように、内蔵部品の取付部材２３０の当接面２３３に複数の円柱状の当接ピン２３４を形成したものが考えられている。
しかしながら、この場合には、図３０と図３１に示すように、ブロー成形時にパリソン２０８に取付部材２３０の当接面２３３に形成された当接ピン２３４を押圧して、当接ピン２３４の頂部２３５がパリソン２０８の表面から内部に進入し、頂部２３５が溶融してパリソン２０８と取付部材２３０が溶着する。
このとき、図３１（図３０のＸ部分の拡大図）に示すように、当接ピン２３４の頂部２３５とパリソン２０８の溶融部分には、当接ピン２３４が進入したことによる残留応力（図３１におけるＹ）が生じることとなり、燃料タンクの外壁に歪が生じる恐れがある。
【先行技術文献】
【特許文献】
【００１１】
【特許文献１】特開平１−３０１２２７号公報
【特許文献２】特開平６−１４３３９６号公報
【特許文献３】特開２００９−１３２２９７号公報
【発明の概要】
【発明が解決しようとする課題】
【００１２】
そのため、本発明は、内蔵部品が強固に燃料タンクの外壁内面に融着することができ、外壁内面の残留応力を軽減して、燃料タンクの外壁に衝撃等が加わっても、燃料タンクの外壁を保護することができる燃料タンクを提供することを課題とする。
【課題を解決するための手段】
【００１３】
上記課題を解決するための請求項１の本発明は、内部に内蔵部品を取付けられ、合成樹脂で形成された外壁を有する自動車用燃料タンクにおいて、
内蔵部品には、燃料タンクの外壁の内面に内蔵部品を取付ける取付部材が複数設けられ、取付部材は、燃料タンクの外壁の内面に当接する当接部が形成され、当接部は、燃料タンクの外壁の内面に対向する当接面と、当接面に燃料タンクの外壁の内面に向けて複数の当接ピンが形成され、当接ピンは断面形状が円形又は楕円形の円柱状又は円錐台状に形成されるとともに、当接ピンは、当接ピンの根元の上記当接面に当接ピンの周囲を囲むように溝部が形成されるか、又は、当接ピンの側面に周囲を囲むように切欠き部が形成されたことを特徴とする自動車用燃料タンクである。
【００１４】
請求項１の本発明では、内蔵部品には、燃料タンクの外壁の内面に内蔵部品を取付ける取付部材が複数設けられているため、内蔵部品を複数個所で燃料タンクの外壁の内面に融着して固定することができ、安定して取り付けることができる。
取付部材は、燃料タンクの外壁の内面に当接する当接部が形成されているため、当接部が燃料タンクの外壁の内面に融着して、取付部材が固定されることができる。
【００１５】
当接部は、燃料タンクの外壁の内面に対向する当接面と、当接面に燃料タンクの外壁の内面に向けて複数の当接ピンが形成されている。このため、複数の当接ピンが燃料タンクの外壁の内部に侵入して、融着し、取付部材を強固に燃料タンクの外壁と固着することができる。
【００１６】
当接ピンは断面形状が円形又は楕円形の円柱状又は円錐台状に形成されるため、当接ピンはそれぞれ孤立して形成され連続していないので、燃料タンクの外壁と比べて強度が小さく、燃料タンクの外壁に衝撃や曲げ応力、撓み等が加わっても、個々の当接ピンが破損して、破損が外壁や隣接する当接ピンに広がることがなく、外壁に影響が及ぼされることがない。当接ピンは断面形状が円形又は楕円形であるため、鋭角部分がなく、特定部分に燃料タンクの外壁に衝撃が集中することがない。
【００１７】
当接ピンは、当接ピンの根元の上記当接面に当接ピンの周囲を囲むように溝部が形成されるか、又は、当接ピンの根元の当接面に当接ピンの周囲を囲むように溝部が形成された。
当接ピンは、当接ピンの根元の当接面に当接ピンの周囲を囲むように溝部が形成された場合は、当接ピンが溝部により撓みやすく、燃料タンクの外壁に衝撃や曲げ応力、撓み等が加わっても、溝部に応力が分散して、燃料タンクの外壁への衝撃や応力が小さくなり、より一層、燃料タンクの外壁の応力吸収性を向上させることができる。
又、当接ピンは、当接ピンの側面に周囲を囲むように切欠き部が形成され場合は、当接ピンが切欠き部の部分で撓みあるいは破断しやすく、燃料タンクの外壁に衝撃や曲げ応力、撓み等が加わっても、切欠き部の部分に応力が分散又は吸収して、燃料タンクの外壁への応力や衝撃が小さくなり、より一層、燃料タンクの外壁の応力吸収性を向上させることができる。
【００２２】
請求項２の本発明は、当接ピンは、当接面よりも突出して形成された自動車用燃料タンクである。
【００２３】
請求項２の本発明では、当接ピンは、当接面よりも突出して形成されたため、ブロー成形時に当接ピンが燃料タンクの外壁の内部に侵入する長さが長く、当接ピンの融着量が多くなり、取付部材を強固に燃料タンクの外壁と固着することができる。
【００３８】
請求項３の本発明は、燃料タンクの外壁は、外壁の外側から、外部本体層、外部接着剤層、バリヤ層、内部接着剤層と内部本体層の５層で形成され、外部本体層と内部本体層は、高密度ポリエチレン（ＨＤＰＥ）で形成され、バリヤ層はエチレンビニルアルコール共重合体（ＥＶＯＨ）で形成され、外部接着剤層と内部接着剤層は、高密度ポリエチレン（ＨＤＰＥ）とバリヤ層の両方に接着性を有する合成樹脂で形成された自動車用燃料タンクである。
【００３９】
請求項３の本発明では、外部本体層と内部本体層は、高密度ポリエチレン（ＨＤＰＥ）で形成されたため、燃料タンクの外側は、充分な剛性と耐衝撃性を有するとともに、内部本体層に燃料が浸透しても燃料タンクの剛性を確保し、耐衝撃性を向上させることができる。
【００４０】
バリヤ層はエチレンビニルアルコール共重合体（ＥＶＯＨ）で形成されるため、ガソリンの透過防止性に優れるとともに、溶融成形が可能で加工性にも優れている。また、高湿度下において、あるいはアルコールを含有するガソリンに対しても優れた透過防止性を有する。
【００４１】
外部接着剤層と内部接着剤層は、高密度ポリエチレン（ＨＤＰＥ）とバリヤ層の両方に接着性を有する合成樹脂で形成されたため、外部接着剤層と内部接着剤層は、バリヤ層と、外部本体層及び内部本体層とをそれぞれ強固に接着して、燃料タンクの各層間を強固に接着し、一体化させて、燃料タンクの燃料透過防止性と、強度を確保することができる。
【発明の効果】
【００４２】
燃料タンクの内蔵部品の取付部材は、当接部を有し、当接部は、当接面と当接ピンが形成されているため、当接面が燃料タンクの外壁の内面に密着して、当接ピンの燃料タンクの外壁の内部に侵入する寸法の最大値を制御することができるともに、当接ピンが燃料タンクの外壁の内部に侵入して、強固に燃料タンクの外壁と融着することができる。
当接ピンは断面形状が円形又は楕円形の円柱状又は円錐台状に形成されるため、燃料タンクの外壁に衝撃、曲げ応力や撓み等が加わっても、当接ピンが個々に衝撃を吸収し、広がることがなく、外壁に影響が及ぼされることがない。
【００４３】
当接ピンは、当接ピンの根元の上記当接面に当接ピンの周囲を囲むように溝部が形成されるか、又は、当接ピンの根元の当接面に当接ピンの周囲を囲むように溝部が形成された。
当接ピンは、当接ピンの根元の当接面に当接ピンの周囲を囲むように溝部が形成されたため、当接ピンが溝部により撓みやすく、燃料タンクの外壁に衝撃や曲げ応力、撓み等が加わっても、溝部に応力が分散して、燃料タンクの外壁への衝撃や応力が小さくなり、より一層、燃料タンクの外壁の応力吸収性を向上させることができる。
又は、当接ピンは、当接ピンの側面に周囲を囲むように切欠き部が形成されたため、当接ピンが切欠き部の部分で撓みあるいは破断しやすく、燃料タンクの外壁に衝撃や曲げ応力、撓み等が加わっても、切欠き部の部分に応力が分散又は吸収して、燃料タンクの外壁への応力や衝撃が小さくなり、より一層、燃料タンクの外壁の応力吸収性を向上させることができる。
【図面の簡単な説明】
【００４４】
【図１】本発明の実施の形態である燃料タンク斜視図である。
【図２】本発明の燃料タンクの外壁の構造を示す部分拡大断面図である。
【図３】本発明の燃料タンクの内部に取付けられる内蔵部品の斜視図である。
【図４】本発明の第１の実施の形態の取付部材の平面図である。
【図５】本発明の第１の実施の形態の取付部材の断面図であり、図４のＡ−Ａ線に沿った断面図である。
【図６】本発明の第１の実施の形態の取付部材の底面図である。
【図７】本発明の第１の実施の形態の取付部材の取付面の断面図である。
【図８】本発明の第１の実施の形態の取付部材の取付面の当接ピンの部分の拡大断面図である。
【図９】本発明の第１の実施の形態の取付部材の取付面の当接ピンを燃料タンクの外壁の内面に溶着した部分の拡大断面図である。
【図１０】本発明の第２の実施の形態の取付部材の取付面の断面図である。
【図１１】本発明の第２の実施の形態の取付部材の取付面の当接ピンを燃料タンクの外壁の内面に溶着した部分の拡大断面図である。
【図１２】本発明の第３の実施の形態の取付部材の取付面の断面図である。
【図１３】本発明の第３の実施の形態の取付部材の当接ピンが形成された取付面の部分の拡大断面図である。
【図１４】本発明の第４の実施の形態の取付部材の取付面の断面図である。
【図１５】本発明の第４の実施の形態の取付部材の取付面の当接ピンの部分の拡大断面図である。
【図１６】本発明の第５の実施の形態の取付部材の取付面の断面図である。
【図１７】本発明の第５の実施の形態の取付部材を溶着した燃料タンクの外壁に押圧力を掛けた状態の断面図である。
【図１８】本発明の第６の実施の形態の取付部材の取付面の断面図である。
【図１９】本発明の第６の実施の形態の取付部材を溶着した燃料タンクの外壁に押圧力を掛けた状態の断面図である。
【図２０】本発明の第７の実施の形態の取付部材を溶着した燃料タンクの外壁に押圧力を掛けた状態の断面図である。
【図２１】本発明の第８の実施の形態の取付部材を溶着した燃料タンクの外壁に押圧力を掛けた状態の断面図である。
【図２２】本発明の燃料タンク製造方法を示すブロー成形金型を開いた状態の断面図である。
【図２３】本発明の燃料タンク製造方法を示すブロー成形金型の押圧ピンをスライドさせた状態の断面図である。
【図２４】本発明の燃料タンク製造方法を示すブロー成形金型を閉じた状態の断面図である。
【図２５】従来の燃料タンク製造方法を示すブロー成形金型を閉じた状態の断面図である。
【図２６】従来の燃料タンク製造方法を示すブロー成形金型の押圧ピンをスライドさせた状態の断面図である。
【図２７】従来の取付部材の平面図である。
【図２８】従来の他の取付部材の断面図であり、図２９のＢ−Ｂ線に沿った断面図である。
【図２９】従来の他の取付部材の平面図である。
【図３０】従来の他の取付部材の取付面を燃料タンクの外壁の内面に頂着した部分の拡大断面図である。
【図３１】従来の他の取付部材の取付面の当接ピンを燃料タンクの外壁の内面に頂着した部分（図３０におけるＸの部分）の拡大断面図である。
【発明を実施するための形態】
【００４５】
本発明の実施の形態である自動車用の燃料タンク１について、図１〜図２４に基づき説明する。
本発明の実施の形態では、燃料タンク１は、図１に示すように、その燃料タンク１に燃料ポンプ（図示せず）等を出し入れするためにポンプユニット取付孔４が上面に形成されている。また、燃料タンク１の側面又は上面には、インレットパイプ（図示せず）から燃料を注入する燃料注入孔５が形成されている。
【００４６】
また、燃料タンク１の周囲には外周リブ２が全周に亘り形成されており、外周リブ２のコーナー部等の所定箇所には、数箇所に亘り取付用孔３が形成され、取付用孔３と車体をボルト締めすることにより、燃料タンク１を車体に取付けている。取付用孔３ではなく、燃料タンク１の外周にベルトをかけてそのベルトにより燃料タンク１を車体に取り付けることもできる。
さらに、燃料タンク１の上面には、内部の燃料蒸気を回収するホース等を接続する各所の取付孔６が形成されている。
【００４７】
本実施の形態において、燃料タンク１は、ブロー成形で形成され、その外壁１０は、図２に示すように、外側から順に表皮層１１、外部本体層１２、外部接着剤層１３、バリヤ層１４、内部接着剤層１５及び内部本体層１６から形成されている。
ブロー成形においては、上記の６層から構成されるパリソンが使用される。６層以上の層構成を有するパリソンを使用することもできる。また、後述するように、表皮層１１は外部本体層１２に再生部材や、フィラー等を混入する場合に使用されるが、表皮層１１を省略することもできる。さらに、剛性と耐燃料油性を有する材料を使用すれば、１層構成のパリソンを使用することもできる。
【００４８】
表皮層１１、外部本体層１２は、耐衝撃性が大きく、燃料油に対しても剛性が維持される熱可塑性合成樹脂から形成され、高密度ポリエチレン（ＨＤＰＥ）から形成されることが好ましい。外部本体層１２が、無機フィラーを含有した場合には、外部本体層１２の表面を覆うため、表皮層１１が使用され、表面に無機フィラーが出ることがなく、表面を円滑にすることができる。
【００４９】
表皮層１１と外部本体層１２と、後述する内部本体層１６に使用する高密度ポリエチレン（ＨＤＰＥ）は、例えば、具体的には以下のポリエチレンを使用することができる。
高密度ポリエチレン（ＨＤＰＥ）は、溶融流動速度（ＭＲＦ：２１．６ｋｇ／１０ｍｉｎ）が５〜７であって、密度（ｇ／ｃｍ３）が０．９４４〜０．９５０のものを使用することができる。
【００５０】
外部本体層１２は、高密度ポリエチレン（ＨＤＰＥ）を主に含有する再生材を主材として形成してもよい。高密度ポリエチレン（ＨＤＰＥ）を主に含有する再生材は、例えば、使用後に回収された燃料タンク１を粉砕してリサイクルして使用する場合や、燃料タンク１の製造工程中で発生する製造工程中で発生する切れ端や不良品を粉砕してリサイクルして使用する場合がある。燃料タンク１は、主として高密度ポリエチレン（ＨＤＰＥ）から構成されているため、燃料タンク１を粉砕した再生材は、高密度ポリエチレン（ＨＤＰＥ）を主として有している。
これ等の再生材を１００％使用する場合と、再生材に新材の高密度ポリエチレン（ＨＤＰＥ）を混合して使用する場合がある。
【００５１】
バリヤ層１４は、燃料油の透過が極めて少ない熱可塑性合成樹脂から形成されている。バリヤ層１４を構成する熱可塑性合成樹脂は、例えば、エチレンビニルアルコール共重合体（ＥＶＯＨ）、ポリブチレンテレフタレート、ポリエチレンテレフタレート、ポリフェニレンサルファイド（ＰＰＳ）、液晶ポリマー（ＬＣＰ）、半芳香族ナイロン（ＰＰＡ）を使用することができるが、エチレンビニルアルコール共重合体（ＥＶＯＨ）が好ましい。
バリヤ層１４を有するため、後述する内部本体層１６を浸透してきたガソリン等の燃料油を、バリヤ層１４で透過を防ぐことができ、大気中に燃料油が蒸発することを防止できる。
【００５２】
バリヤ層１４として、エチレンビニルアルコール共重合体（ＥＶＯＨ）を使用する場合は、ガソリンの透過防止性に優れるとともに、溶融成形が可能で加工性にも優れている。また、高湿度下においても、ガソリンの透過防止性に優れている。さらに、アルコールを含有するガソリンに対しても優れた透過防止性を有することができる。
【００５３】
外部接着剤層１３は、外部本体層１２とバリヤ層１４の間に設けられて、この２層を接着し、内部接着剤層１５は、内部本体層１６とバリヤ層１４の間に設けられて、この２層を接着する。外部接着剤層１３と内部接着剤層１５は、同じ材料で形成され、高密度ポリエチレン（ＨＤＰＥ）とバリヤ層１４の両方に接着性を有する合成樹脂で形成される。このため、外部接着剤層１３と内部接着剤層１５は、バリヤ層１４と、外部本体層１２及び内部本体層１６とをそれぞれ強固に接着して、それぞれの層が一体的に密着して、燃料タンク１の燃料透過防止性と、強度を確保することができる。
【００５４】
外部接着剤層１３と内部接着剤層１５に使用される接着性の熱可塑性合成樹脂としては、例えば、変性ポリオレフィン樹脂を使用することができ、不飽和カルボン酸変性ポリオレフィン樹脂、特に不飽和カルボン酸変性ポリエチレン樹脂が好ましい。これは、ポリオレフィン樹脂に不飽和カルボン酸を共重合又はグラフト重合させることにより製造することができる。
【００５５】
内部本体層１６は、表皮層１１で述べたように、表皮層１１の使用するものと同じ材料である高密度ポリエチレン（ＨＤＰＥ）を使用する。
内部本体層１６は、燃料タンク１の外壁１０の全体の厚さの１５％〜６７％の厚さを有する。外壁１０は全体として３ｍｍ〜８ｍｍの肉厚を有するため、０．４５ｍｍから５．３６ｍｍの範囲の肉厚を有する。これにより、燃料タンク１の外壁１０は、内部本体層１６が充分な肉厚を有するため、燃料で膨潤しても剛性を保ち、耐衝撃性を確保することができる。
【００５６】
燃料タンク１の内部には、例えば、図３に示す内蔵部品２０が取付けられている。内蔵部品２０の取付け方法については後述する。
次に、図３に基づき、内蔵部品２０について説明する。内蔵部品２０は、燃料タンク１の外壁の内面の上下を支える複数の柱部材２１と、柱部材２１を相互に連結する梁部材２２を有する。
【００５７】
柱部材２１の燃料タンク１の外壁１０の内面に当接する先端部分には、取付部材３０が取付けられている。本実施の形態では、取付部材３０は、柱部材２１の先端に柱部材２１とは別体で形成されて係止されているが、柱部材２１と取付部材３０を一体的に形成してもよい。
取付部材３０については、後述する。
【００５８】
柱部材２１は、燃料タンク１の内部の所定の位置に取付けられて、後述するように取付部材３０が燃料タンク１の外壁１０の内面に融着されることにより、燃料タンク１内に取付けられて、燃料タンク１の外壁１０の複数の部分を保持することができる。このため、燃料タンク１の外壁の強度を増加させることができるとともに、燃料タンク１の膨張や収縮を防止できるとともに、衝撃に対しても強度を維持することができる。
【００５９】
また、柱部材２１は、図３の左端部に示すように、上側の取付部材３０と下側の取付部材３０が梁部材２２の部分で若干ずれて設けられてもよい。
さらに、柱部材２１の一部に燃料タンク１の外壁１０の収縮あるいは膨張に対応するために寸法変化防止部材２３を形成することができる。
【００６０】
梁部材２２は、柱部材２１を相互に連結して、梁部材２２を燃料タンク１の外壁内面の所定の位置に取付けられるようにすることができる。梁部材２２は、軽量化と剛性を確保するため、断面コ字形又は中空状に形成することができる。
また、図３に示すように、梁部材２２にバッフルプレート２４を一体的に形成することができる。この場合には、燃料タンク１内の燃料の波打ちを防止して、流動音抑制をすることができる。
【００６１】
また、バッフルプレート２４以外にも、各種のホース類と接続するバルブ類や、燃料タンク１の内部に設けられるサブタンク等を梁部材２２に設けることができる。
さらに、梁部材２２の一部に燃料タンク１の外壁１０の収縮あるいは膨張に対応するために寸法変化防止部材２３を形成することができる。
【００６２】
内蔵部品２０は、ポリアセタール、高密度ポリエチレン（ＨＤＰＥ）等の耐燃料油性の熱可塑性合成樹脂で形成することができる。これにより燃料タンク１の強度を向上させることができるとともに、燃料タンク１の内部に取付けられても、燃料油による膨潤等で剛性が低下することがない。
【００６３】
つぎに、取付部材３０について説明する。取付部材３０については、第１〜８の実施の形態について図４〜２１に基づいて説明するが、まず第１の実施の形態について、図４〜９に基づいて説明する。取付部材３０は、図３に示すように円筒状又は四角形の筒状に形成する場合や、平板状に形成する場合がある。
第１の実施の形態では、取付部材３０は、円筒状の筒状に形成し、図４〜図６に基づき説明する。図４は、取付部材３０の平面図、図５は底面図、図６は取付部材の底面図である。
【００６４】
取付部材３０は、内蔵部品２０と連結又は連続する連結部３１と、燃料タンク１の外壁の内面に当接する当接部３２から形成される。
本実施の形態では、取付部材３０は内蔵部品２０と別体で形成され、連結部３１は、柱部材２１の形状に合わせて円筒状に形成され、内部が中空状である。柱部材２１が四角柱状の場合には、四角柱状に形成される。連結部３１の下端には、係止部３８が形成され、連結部３１が柱部材２１の先端に嵌め込まれたときに、図５と図６に示すように、係止部３８の爪が柱部材２１の先端部に形成された凹部又は孔に係合されて、取付部材３０が強固に取付けられる。取付部材３０は、燃料タンク１の外壁１０と融着するために、外壁１０の材料と同種類の材料を使用する。
【００６５】
なお、取付部材３０が柱部材２１と一体的に形成される場合は、連結部３１は柱部材２１と連続して形成される。
平板状の取付部材３０の場合は、連結部３１はなく、当接部３２の下面に設けられた突起や、接着面で直接、柱部材２１の先端に係止又は接着して取付けられる。
【００６６】
当接部３２は、燃料タンク１の外壁１０の内面に対向する円形の当接面３３と、当接面３３から燃料タンク１の外壁１０に向けて突出する複数の当接ピン３４が形成されている。当接ピン３４は断面形状が円形又は楕円形の円柱状又は円錐台状に形成される。本実施の形態では、当接ピン３４は円柱状に形成されている。当接ピン３４は円錐台状に形成することも、楕円柱状や断面が楕円で円錐台状に形成することもできる。
【００６７】
図７に示すように、当接ピン３４の根元の当接面３３に、当接ピン３４の周囲を囲むように溝部３６を形成している。このため、当接ピン３４が溝部３６により左右に撓みやすくなり、燃料タンク１の外壁１０に衝撃や曲げ応力、撓み等が加わっても、溝部３６に応力が分散して、当接ピン３４と燃料タンク１の外壁１０の溶着部分への衝撃が小さくなり、より一層、燃料タンク１の外壁１０の応力吸収性を向上させることができる。
【００６８】
当接ピン３４の高さは、当接面３３から０．５〜２ｍｍ程度であり、溝部３６の深さは、当接面３３から１ｍｍ程度、溝部３６の幅は０．３ｍｍ程度である。
ブロー成形により、燃料タンク１を形成し、取付部材３０を外壁１０の内面に溶着すると、図９に示すように、当接ピン３４の頂部３５は、外壁１０の熱で溶融し、外壁１０の内面と溶着する。このとき、当接ピン３４の頂部３５は、外壁１０の内面に進入するため、頂部３５と外壁１０の内面の境界付近に応力歪が若干残るが、上記の如く、溝部３６により当接ピン３４が撓みやすくなるため、燃料タンク１の外壁１０に衝撃や曲げ応力、撓み等が加わっても、当接ピン３４が撓んだり、当接ピン３４の溝部３６に亀裂が生じて、破損したりするため、外壁１０に影響が及ぼされることがない。
【００６９】
当接ピン３４はそれぞれが１本ずつ孤立して形成され連続していないため、燃料タンク１の外壁１０と比べて強度が小さく、燃料タンク１の外壁１０に衝撃や曲げ応力、撓み等が加わっても、当接ピン３４が破損して、外壁１０に影響が及ぼされることがない。また、当接ピン３４の破損が隣接する当接ピン３４に広がることもない。当接ピン３４は断面形状が円形又は楕円形であるため、鋭角部分がなく、燃料タンク１の外壁１０の衝撃加わっても特定部分にその応力が集中することがないので、取付部材３０を融着するときに、当接ピン３４が外壁１０と融着したときに、燃料タンク１の外壁１０の強度を保持することができる。
【００７０】
さらに、当接ピン３４の当接面３３からの高さは、燃料タンク１の外壁１０の肉厚よりも小さく形成されている。このため、当接面３３が燃料タンク１の外壁１０の内面に密着して、当接ピン３４が燃料タンク１の外壁１０の内部に侵入する寸法の最大値を制御することができるともに、当接ピン３４が燃料タンク１の外壁１０の内部に侵入して、強固に燃料タンク１の外壁１０と融着することができる。
【００７１】
このため、燃料タンク１の外壁１０に当接面３３を押圧するときに、当接ピン３４は、燃料タンク１の外壁１０の内部に充分に進入することができ、燃料タンク１の外壁１０の内部の溶融した部分と接触して、当接ピン３４の頂部３５は燃料タンク１の外壁１０と融着することができる。したがって、燃料タンク１の外壁１０と当接部３２は、強固に融着することができる。さらに、当接ピン３４の高さは、燃料タンク１の外壁１０の肉厚の３０％〜７０％の場合は、当接ピン３４が外壁１０に食い込みすぎることがなく、外壁１０の強度を低下させることがない。
【００７２】
本実施の形態では、当接ピン３４は、隣接する当接ピン３４との間の間隔は、１〜３ｍｍに形成されている。このため、取付部材３０を燃料タンク１の外壁１０に融着するときに、当接ピン３４と当接ピン３４の間に、溶融した外壁１０の内面が侵入することができ、当接ピン３４が燃料タンク１の外壁１０の内部に充分に進入することができる間隔を有している。さらに、隣接する当接ピン３４との間の間隔が広すぎないため、当接ピン３４の数を多くすることができ、燃料タンク１の外壁１０との融着強度を確保することができる。
【００７３】
この場合は、当接部３２を燃料タンク１の外壁１０内面に押し当てると、当接ピン３４がパリソン８である燃料タンク１の外壁１０に侵入し、当接ピン３４と当接ピン３４の間に溶融した燃料タンク１の外壁１０が入り込むことができ、燃料タンク１の外壁１０と当接面３３が強固に固定されることができる。
【００７４】
本実施の形態では、図４に示すように、当接ピン３４は、当接面３３の略全面に形成されている。このため、当接面３３に当接ピン３４の数を多く形成することができ、当接面３３の全面に燃料タンク１の外壁１０を融着させることができ、燃料タンク１の外壁１０との融着強度を確保することができる。
【００７５】
また、当接面３３から円錐台状に当接ピン３４を形成することができる。この場合は、当接ピン３４の頂上の部分は断面積が小さくなるので、燃料タンク１の外壁１０と当接ピン３４を融着するときに、当接ピン３４の頂点が外壁１０の内部に侵入したときに、溶融した外壁１０が当接ピン３４と当接ピン３４の間に入り易く、外壁１０と当接ピン３４がなじみ易く、強固に融着することができる。また、当接ピン３４は、円錐台状であるため、外壁１０に侵入すると、当接ピン３４と当接ピン３４の間の溶融樹脂が妨げとなり、当接ピン３４が外壁１０内に大きく進入することを防止できる。
【００７６】
次に、本発明の第２の実施の形態について、図１０と図１１に基づいて説明する。第２の実施の形態は、第１の実施の形態と比べて、当接ピン３４の高さのみが異なるため、異なる部分を説明し、同様の部分の説明を省略する。
第２の実施の形態では、当接ピン３４の高さは、当接面３３の高さと同じであり、当接ピン３４の周囲に溝部３６が形成されている。
【００７７】
ブロー成形により、燃料タンク１を形成し、取付部材３０を外壁１０の内面に溶着すると、図１１に示すように、当接ピン３４の頂部３５は、外壁１０の熱で溶融し、外壁１０と溶着する。このとき、当接ピン３４の頂部３５は、外壁１０の内面が密着し、溝部３６に進入するため、取付部材３０を外壁１０の内面溶着することができる。
【００７８】
このため、ブロー成形時に当接ピン３４が燃料タンク１の外壁１０の内部に侵入する長さが短く、燃料タンク１の外壁１０の残留応力を少なくすることができる。また、溝部３６により当接ピン３４が撓みやすくなるため、燃料タンク１の外壁１０に衝撃や曲げ応力、撓み等が加わっても、当接ピン３４の溝部３６に亀裂が生じて、破損するため、外壁１０に影響が及ぼされることがない。
【００７９】
次に、本発明の第３の実施の形態について、図１２と図１３に基づいて説明する。第３の実施の形態は、第１の実施の形態と比べて、溝部３６のみが異なるため、異なる部分を説明し、同様の部分の説明を省略する。
第３の実施の形態では、当接ピン３４は、応力吸収部として、当接ピン３４の側面に周囲を囲むように切欠き部３７が形成されている。このため、当接ピン３４が切欠き部３７の部分で撓みやすく、燃料タンク１の外壁１０に衝撃や曲げ応力、撓み等が加わっても、切欠き部３７の部分に応力が分散したり、切欠き部３７の部分が破断したりして、燃料タンク１の外壁１０への衝撃が小さくなり、より一層、燃料タンク１の外壁１０に影響が及ぼされることがない。
【００８０】
次に、本発明の第４の実施の形態について、図１４と図１５に基づいて説明する。第４の実施の形態は、第１の実施の形態と比べて、当接面３３が異なるため、異なる部分を説明し、同様の部分の説明を省略する。
第４の実施の形態では、応力吸収部として、当接面３３の肉厚を薄く形成している。このため、当接面３３が破損したり撓んだりし易く、燃料タンク１の外壁１０に衝撃や曲げ応力、撓み等が加わっても、当接面３３の部分に応力が分散したり、当接面３３が破損したりして、燃料タンク１の外壁１０への衝撃が小さくなり、より一層、燃料タンク１の外壁１０に影響が及ぼされることがない。
【００８１】
次に、本発明の第５の実施の形態について、図１６と図１７に基づいて説明する。第５の実施の形態は、第１の実施の形態と比べて、当接面３３が異なるため、異なる部分を説明し、同様の部分の説明を省略する。
第５の実施の形態では、応力吸収部として、当接面３３の剛性を小さく形成している。このため、当接面３３が撓み易く、燃料タンク１の外壁１０に衝撃や曲げ応力、撓み等が加わっても（図１７において、衝撃として外力を燃料タンク１の外壁１０に当てている。）、当接面３３が撓んで、燃料タンク１の外壁１０への衝撃が小さくなり、より一層、燃料タンク１の外壁１０に影響が及ぼされることがない。
【００８２】
次に、本発明の第６の実施の形態について、図１８と図１９に基づいて説明する。第６の実施の形態は、第１の実施の形態と比べて、当接面３３が異なるため、異なる部分を説明し、同様の部分の説明を省略する。
第６の実施の形態では、応力吸収部として、当接面３３の中央付近に孔３９を形成している。このため、孔３９に向かって当接面３３が撓み易く、燃料タンク１の外壁１０に衝撃や曲げ応力、撓み等が加わっても（図１９において、衝撃として外力を燃料タンク１の外壁１０に当てている。）、当接面３３が撓んで、燃料タンク１の外壁１０への衝撃が小さくなり、より一層、燃料タンク１の外壁１０に影響が及ぼされることがない。
【００８３】
次に、本発明の第７の実施の形態について、図２０に基づいて説明する。第７の実施の形態は、第１の実施の形態と比べて、燃料タンク１の外壁１０が異なるため、異なる部分を説明し、同様の部分の説明を省略する。
第７の実施の形態では、応力吸収部として、燃料タンク１の外壁１０の取付部材３０が溶着される部分に凹部１７を形成している。このため、燃料タンク１の外壁１０に衝撃や曲げ応力、撓み等が加わったときは（図２０において、衝撃として外力を燃料タンク１の外壁１０の凹部１７に当てている。）、図２０に示すように、凹部１７により重りが止まり、直接に当接部３２が当接する外壁１０の部分に、衝撃や応力が加わることがなく、燃料タンク１の外壁１０の当接部３２が当接する部分への衝撃が小さくなり、より一層、燃料タンク１の外壁１０に影響が及ぼされることがない。
【００８４】
次に、本発明の第８の実施の形態について、図２１に基づいて説明する。第８の実施の形態は、第１の実施の形態と比べて、燃料タンク１の外壁１０が異なるため、異なる部分を説明し、同様の部分の説明を省略する。
第８の実施の形態では、応力吸収部として、燃料タンク１の外壁１０の当接部３２が当接する部分の外面に、外方に突出する複数のピン１８を設けている。このため、燃料タンク１の外壁１０に衝撃や曲げ応力、撓み等が加わっても（図２１において、衝撃として外力を燃料タンク１の外壁１０のピン１８に当てている。）、外方に突出する複数のピン１８により応力を吸収して、燃料タンク１の外壁１０の当接部３２が当接する部分への衝撃が小さくなり、より一層、燃料タンク１の外壁１０に影響が及ぼされることがない。
【００８５】
次に、ブロー成形による本件発明の燃料タンク１の製造方法を、図２２〜図２４に基づき説明する。
まず、図２２に示すように、内蔵部品２０を支持棒４１に保持して、ブロー成形金型４０が開いた内部に位置させる。その後、パリソン８を下降させて、内蔵部品２０をパリソン８の内部に位置させる。
【００８６】
そして、図２３に示すように、第１ピンチ板４３をスライドさせて、パリソン８の下端を支持棒４１とともに挟持する。それとともに、ブロー成形金型４０に設けられた複数の押圧ピン４２をスライドさせて、パリソン８を内蔵部品２０に取付けられた取付部材３０と押圧ピン４２で挟むように押圧する。
【００８７】
そうすると、パリソン８の内面はまだ溶融状態にあるため、上述のように、取付部材３０の当接部３２の当接ピン３４がパリソン８の内面に進入し、当接部３２とパリソン８が融着することができる。このとき、内蔵部品２０は、支持棒４１により保持されているので、取付部材３０と内蔵部品２０は、燃料タンク１の外壁１０の所定の位置に確実に取付けられることができる。
【００８８】
その後、図２４に示すように、支持棒４１を下降させてブロー成形金型４０から抜き、第２ピンチ板４４をスライドさせてパリソン８を閉じるとともに、ブロー成形金型４０を閉じて、スライドカッター４６でパリソン８を切断する。ブロー成形金型４０を閉じるときには、押圧ピン４２は、そのままパリソン８を押圧続ける。これにより、内蔵部品２０を所定位置に保持し続けることができる。
【００８９】
そして、エアノズル４５からパリソン８の内部に空気を吹き込み、パリソン８の外面をブロー成形金型４０に押圧して、燃料タンク１を形成する。このとき、押圧ピン４２の先端面とブロー成形金型４０のキャビティー内面とは同一平面になることができる。
その後、ブロー成形金型４０を開き、燃料タンク１を取出す。
【符号の説明】
【００９０】
１  燃料タンク
８  パリソン
１０  外壁
２０  内蔵部品
３０  取付部材
３２  当接部
３３  当接面
３４  当接ピン
３６  溝部
３７  切欠き部
３８  孔
４０  ブロー成形金型
【図１】
0005877577.tif 000002
【図２】
0005877577.tif 000003
【図３】
0005877577.tif 000004
【図４】
0005877577.tif 000005
【図５】
0005877577.tif 000006
【図６】
0005877577.tif 000007
【図７】
0005877577.tif 000008
【図８】
0005877577.tif 000009
【図９】
0005877577.tif 000010
【図１０】
0005877577.tif 000011
【図１１】
0005877577.tif 000012
【図１２】
0005877577.tif 000013
【図１３】
0005877577.tif 000014
【図１４】
0005877577.tif 000015
【図１５】
0005877577.tif 000016
【図１６】
0005877577.tif 000017
【図１７】
0005877577.tif 000018
【図１８】
0005877577.tif 000019
【図１９】
0005877577.tif 000020
【図２０】
0005877577.tif 000021
【図２１】
0005877577.tif 000022
【図２２】
0005877577.tif 000023
【図２３】
0005877577.tif 000024
【図２４】
0005877577.tif 000025
【図２５】
0005877577.tif 000026
【図２６】
0005877577.tif 000027
【図２７】
0005877577.tif 000028
【図２８】
0005877577.tif 000029
【図２９】
0005877577.tif 000030
【図３０】
0005877577.tif 000031
【図３１】
0005877577.tif 000032